(57)【要約】【課題】ディスク位置検出処理に余計な時間を費やすことのない出力セクタデータを生成する誤り訂正装置およびディスク再生装置を提供する。【解決手段】入力セクタデータ１のセクタＩＤ３を検出し、セクタＩＤ３が期待値と合致するセクタデータのみバッファメモリ５への書き込み位置を指定する書き込み位置指定情報１２を生成する。書き込み位置指定情報１２に従い、データ書き込み制御部４はバッファメモリ５へセクタデータを書き込み、データ読み出し制御部７はバッファメモリ５のセクタを読み出す。その際、書き込み位置指定情報１２に指定のないデータに対してデータ読み出し制御部７は、ダミーデータ６１を読み出す。ダミーデータ６１のセクタＩＤはダミー値のため、エラー訂正処理後データ８１には、セクタＩＤエラーフラグが立つ。このエラーフラグの立ったセクタデータが出力セクタデータ１０として出力される。【選択図】　図１
2004118903.tif 000002
【特許請求の範囲】
【請求項１】
ディスクにセクタ単位で記録されたセクタ形式の第１のデジタルデータからセクタＩＤを検出するセクタＩＤ検出手段と、
前記第１のデジタルデータをセクタ単位で記憶するためのバッファメモリ手段と、
前記セクタＩＤに基づく書き込み位置指定情報を生成し、この書き込み位置指定情報に基づき、予め設定されたセクタ数分の前記第１のデジタルデータの前記バッファメモリ手段への書き込み位置をセクタ単位で制御するデータ書き込み制御手段と、
セクタ形式の第２のデジタルデータを記憶するデータ記憶手段と、
前記書き込み位置指定情報を利用して、前記バッファメモリ手段に記憶されている第１のデジタルデータもしくは前記データ記憶手段に記憶されている第２のデジタルデータのいずれかをセクタ単位で選択し、第３のデジタルデータとして出力するデータ読み出し制御手段と、
前記第３のデジタルデータのエラー訂正を複数セクタ単位または１セクタ単位で行い、エラー処理結果フラグを付加した第４のデジタルデータを生成し、前記データ書き込み制御手段へ供給するエラー訂正処理手段と、
前記データ書き込み制御手段へ供給された前記第４のデジタルデータを前記バッファメモリを介して出力セクタデータとして出力するデータ出力制御手段とを具備することを特徴とする誤り訂正装置。
【請求項２】
前記データ読み出し制御手段における出力データが、前記書き込み位置指定情報で書き込み位置が指定されているときは前記バッファメモリ手段に記憶されている前記第１のデジタルデータであり、書き込み位置が指定されていないときは前記第２のデジタルデータであることを特徴とする請求項１に記載の誤り訂正装置。
【請求項３】
前記データ記憶手段が、予め設定された固定値を記憶するレジスタであることを特徴とする請求項１あるいは請求項２に記載の誤り訂正装置。
【請求項４】
前記データ記憶手段が、書き換え可能な値を記憶するメモリであることを特徴とする請求項１あるいは請求項２に記載の誤り訂正装置。
【請求項５】
前記データ記憶手段が、前記第１のデジタルデータを記憶する領域とは異なる領域の前記バッファメモリ手段であることを特徴とする請求項１あるいは請求項２に記載の誤り訂正装置。
【請求項６】
前記第２のデジタルデータがダミーのセクタＩＤを有するダミーデータであることを特徴とする請求項１乃至５のいずれか１項に記載の誤り訂正装置。
【請求項７】
データをセクタ単位で記録したディスクを読み取るディスク読み取り装置と、
このディスク読み取り装置から出力されたセクタ形式の第１のデジタルデータからセクタＩＤを検出するセクタＩＤ検出手段と、
前記第１のデジタルデータをセクタ単位で記憶するためのバッファメモリ手段と、
前記セクタＩＤに基づく書き込み位置指定情報を生成し、この書き込み位置指定情報に基づき、予め設定されたセクタ数分の前記第１のデジタルデータの前記バッファメモリ手段への書き込み位置をセクタ単位で制御するデータ書き込み制御手段と、
セクタ形式の第２のデジタルデータを記憶するデータ記憶手段と、
前記書き込み位置指定情報を利用して、前記バッファメモリ手段に記憶されている第１のデジタルデータもしくは前記データ記憶手段に記憶されている第２のデジタルデータのいずれかをセクタ単位で選択し、第３のデジタルデータとして出力するデータ読み出し制御手段と、
入力された前記第３のデジタルデータのエラー訂正を複数セクタ単位または１セクタ単位で行い、エラー処理結果フラグを付加した第４のデジタルデータを生成し、前記データ書き込み制御手段へ供給するエラー訂正処理手段と、
前記データ書き込み制御手段へ供給された前記第４のデジタルデータを前記バッファメモリを介して出力セクタデータとして出力するデータ出力制御手段と、
前記データ出力制御手段から出力された出力セクタデータに対して、前記セクタＩＤと前記エラー処理結果フラグに基づくディスク位置検出処理を行うディスク位置検出手段と、
前記出力セクタデータに基づき再生を行う回路とを具備することを特徴とするディスク再生装置。
【請求項８】
前記データ読み出し制御手段における出力データが、前記書き込み位置指定情報で書き込み位置が指定されているときは前記バッファメモリ手段に記憶されている前記第１のデジタルデータであり、書き込み位置が指定されていないときは前記第２のデジタルデータであることを特徴とする請求項７に記載のディスク再生装置。
【請求項９】
前記データ記憶手段が、予め設定された固定値を記憶するレジスタであることを特徴とする請求項７あるいは請求項８に記載のディスク再生装置。
【請求項１０】
前記データ記憶手段が、書き換え可能な値を記憶するメモリであることを特徴とする請求項７あるいは請求項８に記載のディスク再生装置。
【請求項１１】
前記データ記憶手段が、前記第１のデジタルデータを記憶する領域とは異なる領域の前記バッファメモリ手段であることを特徴とする請求項７あるいは請求項８に記載のディスク再生装置。
【請求項１２】
前記第２のデジタルデータがダミーのセクタＩＤを有するダミーデータであることを特徴とする請求項７乃至１１のいずれか１項に記載のディスク再生装置。
【発明の詳細な説明】
【０００１】
【発明の属する技術分野】
本発明は、ディスク状の記憶媒体に記録されたデジタルデータの誤り訂正装置およびディスク再生装置に関する。
【０００２】
【従来の技術】
ＤＶＤディスクなどのディスク状の記憶媒体では、記憶エリア全体がセクタを単位として区分けされ、このセクタ単位でデータの読み書きが行われている。各セクタには、ディスク上で一定方向に並ぶセクタＩＤが付けられている。そのため、ディスクの再生においては、このセクタＩＤを再生位置の検出手段として用いている。
【０００３】
一方、ディスクの再生にあたっては、ディスク上の埃やゴミなどが原因となって読み取ったデータにエラーが生じることがある。そこで、ディスク再生装置には、このエラーを訂正して元の正しいデータに復元するための誤り訂正装置が備えられている。
【０００４】
以下、従来の誤り訂正装置について説明を行うが、ここではＤＶＤディスクの再生を例に取って説明する。
【０００５】
図７は、従来の誤り訂正装置のブロック図である。
【０００６】
ＤＶＤディスクの再生における誤り訂正処理は、１６セクタ分のセクタデータが一つの単位（エラー訂正ブロック）として処理される。そのため、ＤＶＤディスクからディスク読み取り装置（図示せず）により読み取られて入力される一連のセクタデータ１は、セクタＩＤ検出部２０２でそのセクタＩＤ３が検出される一方、そのデータ自体がデータ書き込み制御部２０４を介してバッファメモリ２０５に順次蓄積される。
【０００７】
このとき、データ書き込み制御部２０４は、書き込み位置指定情報生成部２１１からの書き込み位置指定情報２１２により、セクタＩＤ３のＩＤ値順にバッファメモリ２０５のアドレスの順番を割り当てる。
【０００８】
１６セクタ分のセクタデータが蓄積されるとバッファメモリ２０５のデータはエラー訂正処理部２０８に送られ、エラー訂正処理が行われる。エラー訂正処理が終わった１６セクタ分のセクタデータは、データ書き込み制御部２０４を介して、バッファメモリ２０５の元と同じアドレスに書き戻される。
【０００９】
バッファメモリ２０５に書き戻されたデータは、データ出力制御部２０９より読み出され、出力セクタデータ２１０として出力されて、図示しない位置検出処理ブロックや画像・音声信号再生回路へ送られる。
【００１０】
図２（ａ）にＤＶＤにおけるセクタデータの概要を示す。２０６４バイトのセクタデータには、セクタＩＤ３、データ（本体）１０１、エラー訂正コード１０２などの情報が含まれる。
【００１１】
図２（ｂ）に、バッファメモリ２０５にセクタデータが蓄積された様子を示す。アドレスが００から１５までのメモリ領域に、例えば、セクタＩＤ３がｋ００からｋ１５までの１６個分のセクタデータが順次蓄積された状態を示す。
【００１２】
通常、入力セクタデータ１は、セクタＩＤ３の順に順序正しくＤＶＤディスクから読み出されるが、ときに、意図しない再生トラックのずれやディスク上の傷による信号欠損などにより、セクタＩＤ３の値が期待値に合わない値の入力セクタデータ１が入力されることがある。ここで期待値とは、先頭のセクタデータのセクタＩＤ３からセクタデータ入力ごとに１ずつ繰り上がる数値のことをいう。
【００１３】
このような期待値と合わないセクタＩＤ３のセクタデータを順次蓄積し、その１６セクタ分のデータをエラー訂正ブロックとして処理することはできない。したがって、セクタＩＤ３の１６進表記される下位データ（０〜１５）に従ってセクタデータをバッファメモリ２０５の所定のアドレスに蓄積するよう指定する書き込み位置指定情報２１２を生成する。
【００１４】
バッファメモリ２０５は、この書き込み位置指定情報２１２の指定に従いセクタデータの蓄積を行う。
【００１５】
例えば、セクタＩＤ３の下位データが３、４なるセクタデータが入力されなかった場合、バッファ２０５に書き込みは行わず、バッファメモリ２０５上の既存のデータを使用して、エラー訂正ブロックを形成する。
【００１６】
つまり、図３に示すように、セクタＩＤ３がｍ００から始まる一連のセクタデータが入力セクタデータ１として入力、このとき、本来セクタＩＤ３がｍ０３であるべきセクタデータの代わりにｍ０５なるセクタＩＤのセクタデータが入力されると、書き込み位置指定情報２１２は、バッファメモリアドレス０３、０４に対する書き込み指定のない情報となる。
【００１７】
この書き込み位置指定情報２１２に基づきセクタデータが蓄積されたバッファメモリ２０５の状態は図４に示すように、書き込み位置指定情報２１２に書き込みが指定されていないアドレス０３、０４に、以前書き込まれたセクタデータ、例えば図２（ｂ）に示したセクタＩＤ３がｋ０３、ｋ０４のセクタデータがそのまま残っている。
【００１８】
図４の状態のバッファメモリ２０５のデータは、そのままエラー訂正処理部２０８に送られ、エラー訂正処理がなされる。エラー訂正処理部２０８では、セクタデータ内で完結するエラー訂正処理１とエラー訂正ブロック中のセクタデータ間にまたがるエラー訂正処理２を行う。
【００１９】
エラー訂正したデジタルデータにエラー処理結果フラグを付加するには、前記エラー訂正処理１と前記エラー訂正処理２の結果の積とする場合と、前記エラー訂正処理１の結果を優先する場合と、前記エラー訂正処理２の結果を優先する場合とがある。エラー訂正されたデジタルデータを有効に利用するには、他のセクタデータのエラー訂正結果に影響を受けない、前記エラー訂正処理１の結果を優先することが望ましい。
【００２０】
例えば、図４の状態のセクタＩＤがｋ０３、ｋ０４からなるセクタデータが、前記エラー訂正処理１において正しく訂正された場合、これらのセクタデータが含まれる１６セクタからなるデータは、エラー訂正ブロックのデータとしては誤りである。しかし、セクタＩＤがｋ０３、ｋ０４からなるセクタデータはセクタデータとしては正しいため、セクタＩＤにエラーフラグが立つことなく、エラー訂正処理後のセクタデータはバッファメモリ２０５に書き戻される。
【００２１】
バッファメモリ２０５に書き戻されたデータは、データ出力制御部２０９より読み出され、出力セクタデータ２１０として出力される。
【００２２】
【発明が解決しようとする課題】
このような従来の誤り訂正装置の出力セクタデータ２１０は、後続のディスク位置検出処理ブロック（図示せず）に次のような問題を引き起こしていた。
【００２３】
すなわち、出力セクタデータ２１０に、セクタＩＤエラーフラグが立ってはいないが本来のセクタＩＤではないセクタデータが混在しているため、ディスク位置検出処理ブロックで、この本来のセクタＩＤではないセクタデータのディスク上の位置を検出するための処理を行ってしまい、ディスク位置検出処理に余計な時間が費やされるということである。
【００２４】
そこで本発明の目的は、本来のセクタＩＤではないセクタデータに対してセクタＩＤエラーフラグを生成することができる誤り訂正装置を提供することである。
【００２５】
また、本発明の他の目的は、ディスク位置検出処理に余計な時間を費やすことのないディスク再生装置を提供することである。
【００２６】
【課題を解決するための手段】
上記目的を達成するために、本発明の誤り訂正装置は、ディスクにセクタ単位で記録されたセクタ形式の第１のデジタルデータからセクタＩＤを検出するセクタＩＤ検出手段と、前記第１のデジタルデータをセクタ単位で記憶するためのバッファメモリ手段と、前記セクタＩＤに基づく書き込み位置指定情報を生成し、この書き込み位置指定情報に基づき、予め設定されたセクタ数分の前記第１のデジタルデータの前記バッファメモリ手段への書き込み位置をセクタ単位で制御するデータ書き込み制御手段と、セクタ形式の第２のデジタルデータを記憶するデータ記憶手段と、前記書き込み位置指定情報を利用して、前記バッファメモリ手段に記憶されている第１のデジタルデータもしくは前記データ記憶手段に記憶されている第２のデジタルデータのいずれかをセクタ単位で選択し、第３のデジタルデータとして出力するデータ読み出し制御手段と、前記第３のデジタルデータのエラー訂正を複数セクタ単位または１セクタ単位で行い、エラー処理結果フラグを付加した第４のデジタルデータを生成し、前記データ書き込み制御手段へ供給するエラー訂正処理手段と、前記データ書き込み制御手段へ供給された前記第４のデジタルデータを前記バッファメモリを介して出力セクタデータとして出力するデータ出力制御手段とを具備することを特徴とする。
【００２７】
また、上記目的を達成するために、本発明のディスク再生装置は、データをセクタ単位で記録したディスクを読み取るディスク読み取り装置と、このディスク読み取り装置から出力されたセクタ形式の第１のデジタルデータからセクタＩＤを検出するセクタＩＤ検出手段と、前記第１のデジタルデータをセクタ単位で記憶するためのバッファメモリ手段と、前記セクタＩＤに基づく書き込み位置指定情報を生成し、この書き込み位置指定情報に基づき、予め設定されたセクタ数分の前記第１のデジタルデータの前記バッファメモリ手段への書き込み位置をセクタ単位で制御するデータ書き込み制御手段と、セクタ形式の第２のデジタルデータを記憶するデータ記憶手段と、前記書き込み位置指定情報を利用して、前記バッファメモリ手段に記憶されている第１のデジタルデータもしくは前記データ記憶手段に記憶されている第２のデジタルデータのいずれかをセクタ単位で選択し、第３のデジタルデータとして出力するデータ読み出し制御手段と、入力された前記第３のデジタルデータのエラー訂正を複数セクタ単位または１セクタ単位で行い、エラー処理結果フラグを付加した第４のデジタルデータを生成し、前記データ書き込み制御手段へ供給するエラー訂正処理手段と、前記データ書き込み制御手段へ供給された前記第４のデジタルデータを前記バッファメモリを介して出力セクタデータとして出力するデータ出力制御手段と、前記データ出力制御手段から出力された出力セクタデータに対して、前記セクタＩＤと前記エラー処理結果フラグに基づくディスク位置検出処理を行うディスク位置検出手段と、前記出力セクタデータに基づき再生を行う回路とを具備することを特徴とする。
【００２８】
【発明の実施の形態】
以下、図面を参照しながら本発明の実施の形態を説明する。
【００２９】
図１は、本発明に係る誤り訂正装置の実施の形態のブロック図である。
【００３０】
ＤＶＤディスク５２からディスク読み取り装置５３により読み取られた一連のセクタデータは、誤り訂正装置５１へ入力セクタデータ１として入力される。
【００３１】
第１のデジタルデータとしての入力セクタデータ１は、セクタＩＤ検出部２でそのセクタＩＤ３が検出される一方、そのデータ自体がデータ書き込み制御部４を介してバッファメモリ５に転送される。
【００３２】
このとき、データ書き込み制御部４は、書き込み位置指定情報生成部１１にてセクタＩＤ検出部２より順次入力されるセクタＩＤ３の１６進表記される下位データ（０〜１５）に従って、セクタデータをバッファメモリ５の所定のアドレスに蓄積するように指定する書き込み位置指定情報１２を生成する。
【００３３】
バッファメモリ５は、この書き込み位置指定情報１２の指定に従い、データ書き込み制御部４を介して転送された入力セクタデータ１のうち、書き込み位置の指定されているセクタデータのみを蓄積する。
【００３４】
データ記憶部６は、予め設定された固定値を記憶するレジスタ、または書き換え可能な値を記憶するメモリで実現され、第２のデジタルデータとしてのセクタ形式の任意のダミーデータを記憶する。また、データ記憶部６は、バッファメモリ５を利用して実現することも可能である。バッファメモリ５を利用する場合は、１６セクタ分のセクタデータを記憶する領域以外の領域を使用する。
【００３５】
データ読み出し制御部７は、バッファメモリ５のデータもしくはデータ記憶部６の出力であるダミーデータ６１のいずれかを選択して、第３のデジタルデータとしてのデータ読み出し制御部出力７１を出力する。どちらを選択するかは、データ書き込み制御部４から出力される書き込み位置指定情報１２による。
【００３６】
すなわち、データ読み出し制御部７は、書き込み位置指定情報１２に書き込み位置の指定がある場合は、該当アドレスのバッファメモリ５のデータを読み出し、書き込み位置指定情報１２にバッファメモリ５への書き込み位置の指定がない場合は、ダミーデータ６１を読み出してデータ読み出し制御部出力７１として出力する。
【００３７】
エラー訂正処理部８は、データ読み出し制御部出力７１にエラー訂正処理を行い、第４のデジタルデータとしてのエラー訂正後データ８１を出力する。このとき、エラー訂正処理部８は、セクタＩＤ３のデジタルデータについてもエラー訂正後データ８１内にセクタＩＤエラーフラグを立てる。
【００３８】
データ出力制御部９は、バッファメモリ５のデータを図示しない画像・音声信号再生回路へ送るとともに、ディスク位置検出ブロック５４へ出力する。
【００３９】
以下、図５（ａ）から図５（ｃ）を用いて、具体的なデータの処理手順を説明する。書き込み位置指定情報１２は図３に示す通りとし、バッファメモリ５のデータは図４に示す通りとする。
【００４０】
図５（ａ）にダミーデータ６１の内容を示す。ダミーデータ６１では、セクタＩＤが、セクタＩＤとして存在し得ない値、すなわちダミーＩＤ３１、データが任意のダミー情報２１として生成される。なお、ここではダミーＩＤ３１をｘｘｘとして表わす。
【００４１】
図５（ｂ）は、図４に示したバッファメモリ５のデータに対して、図３の書き込み位置指定情報１２を適用したときの、データ読み出し制御部出力７１を示す。ここで注目すべきは、図４においてセクタＩＤｋ０３のセクタデータとなっていたところが、図５（ｂ）ではセクタＩＤｘｘｘのダミーデータに置き換わっている点である。
【００４２】
図５（ｃ）は、図５（ｂ）に示したデータ読み出し制御部出力７１をエラー訂正処理部８でエラー訂正処理して得られたエラー訂正処理後データ８１のダミーＩＤ３１のセクタデータの内容を示したものである。このデータでは、セクタＩＤｘｘｘがセクタＩＤとして正しくエラー訂正し得ない値であるため、エラー訂正処理部８でセクタＩＤエラーフラグ２２が付加されている。
【００４３】
このエラー訂正処理後データ８１は、データ書き込み制御部９を介して、バッファメモリ５の元と同じアドレスに書き戻される。
【００４４】
バッファメモリ５に書き戻されたエラー訂正処理後データ８１は、データ出力制御部９より読み出され、出力セクタデータ１０として出力され、後続のディスク位置検出ブロック５４に入力される。
【００４５】
このような本実施の形態の誤り訂正装置によれば、本来のセクタＩＤではないセクタデータに対してはセクタＩＤエラーフラグが付加された出力セクタデータが得られる。
【００４６】
そのため、本実施の形態の誤り訂正装置を用いたディスク再生装置において、このセクタＩＤエラーフラグを利用したディスク位置検出処理が可能となる。
【００４７】
図６は、上述の誤り訂正装置を用いたディスク再生装置のディスク位置検出処理を説明するためのフローチャートである。
【００４８】
なお、ここでは、処理される出力セクタデータ１０の１６個のセクタデータには、バッファメモリ５に蓄積されていたときのアドレス順に０番から１５番までの番号が付けられているものとする。
【００４９】
まず図１のデータ出力制御部９が作動開始（ステップＳ１）すると、ステップＳ２で読み取るセクタデータの番号（ｎ）を０にして、ステップＳ３で０番の出力セクタデータ１０を読み取る。
【００５０】
次にステップＳ４で、読み取ったセクタデータにセクタＩＤエラーフラグが立っているかどうかを判断する。セクタＩＤエラーフラグが立っていると判断された場合（Ｙｅｓ）は、ステップＳ５で、セクタデータ番号ｎが１５がどうか判断する。ｎが１５でない場合（Ｎｏ）、ステップＳ６で、ｎを１増やしてステップＳ３へ戻る。
【００５１】
ステップＳ４で、セクタＩＤエラーフラグが立っていないと判断された場合（Ｎｏ）は、ステップＳ７で、セクタＩＤが予め用意されている期待値と合っているかどうかを判断する。セクタＩＤが期待値と合っていると判断された場合（Ｙｅｓ）は、ステップＳ５へ進む。
【００５２】
ステップＳ７で、セクタＩＤが期待値と合っていないと判断された場合（Ｙｅｓ）は、ステップＳ８で、セクタＩＤに該当するセクタデータのディスク上の位置を検出するため、ディスク読み取り装置がディスク上を移動する。目的の位置を検出すると、ステップＳ５へ進む。
【００５３】
総てのセクタデータについての処理が終了すると、ステップＳ５でｎ＝１５（Ｙｅｓ）となり、処理は終了（ステップＳ９）する。
【００５４】
ここで、図５（ｂ）に示したデータを例に、ダミーＩＤの付いたセクタデータに対する処理を説明する。
【００５５】
いま、ステップＳ２でｎ＝３となり、ステップＳ３で出力セクタデータ１０の３番目のデータ、すなわちダミーＩＤ（ｘｘｘ）のセクタデータが読み込まれるところまで処理が進んだとする。このダミーＩＤ（ｘｘｘ）のセクタデータに対して、ステップＳ４が実行されると、このセクタデータにはセクタＩＤエラーフラグ２２が付加されているため、セクタＩＤエラーフラグあり（Ｙｅｓ）と判断され、ステップＳ５へ進む。すなわち、ステップＳ７、ステップＳ８の処理は、スキップされる。
【００５６】
しかし、もし、従来のようにセクタＩＤとしては正常な値であっても本来のセクタＩＤではないＩＤを付けたままのセクタデータとしていたならば、ステップＳ４でセクタＩＤエラーフラグなし（Ｎｏ）と判断され、ステップＳ７に進み、ここでセクタＩＤが期待値と合ってない（Ｎｏ）と判断され、ステップ８のディスク読み取り装置移動が実行されていたことになる。このような処理をしていたならば、その処理に時間を要していたところである。
【００５７】
このような本実施の形態のディスク再生装置によれば、エラー訂正処理後のデータに対するディスク位置検出処理において実行する必要のない処理が発生しない。
【００５８】
そのため、ディスク位置検出処理に余計な時間を費やすことがなく、処理時間を短縮することができる。
【００５９】
【発明の効果】
本発明の誤り訂正装置によれば、本来のセクタＩＤではないセクタデータに対してセクタＩＤエラーフラグを生成することができる。
【００６０】
また、本発明のディスク再生装置によれば、ディスク位置検出動作において余計な処理が発生しないため、ディスク位置検出の処理時間を短縮することができる。
【図面の簡単な説明】
【図１】本発明の実施の形態による誤り訂正装置を示すブロック図。
【図２】セクタデータの内容を示す図。
【図３】書き込み位置指定情報の例を示す図。
【図４】バッファメモリの状態の例を示す図。
【図５】本発明の実施の形態による誤り訂正装置におけるデータの説明図。
【図６】図１の誤り訂正装置を用いたディスク再生装置におけるディスク位置検出処理フローを示すフローチャート。
【図７】従来の誤り訂正装置のブロック図。
【符号の説明】
１　入力セクタデータ
２、２０２　セクタＩＤ検出部
３　セクタＩＤ
３１　ダミーＩＤ
４、２０４　データ書き込み制御部
５、２０５　バッファメモリ
６　データ記憶部
６１　ダミーデータ
７　データ読み出し制御部
７１　データ読み出し制御部出力
８、２０８　エラー訂正処理部
８１　エラー訂正処理後データ
９、２０９　データ出力制御部
１０、２１０　出力セクタデータ
１１、２１１　書き込み位置指定情報生成部
１２、２１２　書き込み位置指定情報
２１　ダミー情報
２２　セクタＩＤエラーフラグ
５１　誤り訂正装置
５２　ＤＶＤディスク
５３　ディスク読み取り装置
５４　ディスク位置検出ブロック
１０１　データ
１０２　エラー訂正用コード
【図１】
2004118903.tif 000003
【図２】
2004118903.tif 000004
【図３】
2004118903.tif 000005
【図４】
2004118903.tif 000006
【図５】
2004118903.tif 000007
【図６】
2004118903.tif 000008
【図７】
2004118903.tif 000009